(57)【要約】      （修正有）【課題】陳列棚の棚板部に載置せしめることにより使用される情報表示体を提供する。【解決手段】陳列棚に載置される情報表示体であり、背部を開口２８せしめた殻体１９を構成するベース本体２０と、目視可能な情報を表示した情報シートとから成り、前記情報シートは、殻体の開口部から挿入されたとき、上壁２５ａと下壁２５ｂの案内溝３１に挿入せしめられる上下縁を有するシートから構成され、該情報シートを殻体の内部に向けて案内溝に沿って挿入することにより、直線縁壁３０ａ及び弧状縁壁３０ｂに沿って変形せしめられた状態で上下縁を案内溝に保持されており、更に、情報シートの正面シート部に表示された正面表示情報を弧状縁壁に対応する殻体の正面部に向けて配置せしめられる構成である。【選択図】        図５
2004215869.tif 000002
【特許請求の範囲】
【請求項１】
陳列棚に載置される情報表示体であり、背部を開口２８せしめた殻体１９を構成するベース本体２０と、目視可能な情報２１を表示した情報シート２２とから成り、
前記ベース本体２０の殻体１９は、縦壁１８ａの上下端に連結された上壁２５ａと下壁２５ｂを背部から前方に向けて延長せしめると共に、該上壁２５ａ及び下壁２５ｂの左右側縁に沿って延びる直線縁壁３０ａ、３０ａと、該上壁２５ａ及び下壁２５ｂの円弧を描く自由端縁に沿って延びる弧状縁壁３０ｂとから構成された縁壁３０を形成し、上壁２５ａと下壁２５ｂの間において相互に対向するように前記縁壁３０の内側に沿って延びる案内溝３１を形成しており、
前記情報シート２２は、殻体１９の開口部２８から挿入されたとき、上壁２５ａと下壁２５ｂの案内溝３１、３１に挿入せしめられる上下縁４１ｂ、４１ｂを有するシートから構成され、該情報シート２２を殻体１９の内部に向けて案内溝３１、３１に沿って挿入することにより、前記直線縁壁３０ａ、３０ａ及び弧状縁壁３０ｂに沿って変形せしめられた状態で上下縁４１ｂ、４１ｂを案内溝３１、３１に保持されており、更に、情報シート２２の正面シート部２２ａに表示された正面表示情報２１ａを弧状縁壁３０ｂに対応する殻体１９の正面部に向けて配置せしめられて成ることを特徴とする陳列棚における情報表示体。
【請求項２】
上壁２５ａ及び下壁２５ｂに架設されたコアー板２３を設けており、コアー板２３は、直線縁壁３０ａ、３０ａとほぼ平行な壁面を形成する直線壁２４ａと、弧状縁壁３０ｂとほぼ平行な円弧状の壁面を形成する円弧壁２４ｂを構成し、上壁２５ａ及び下壁２５ｂの縁壁３０とコアー板２３の間に案内溝３１、３１を形成して成ることを特徴とする請求項１に記載の陳列棚における情報表示体。
【請求項３】
上壁２５ａ及び下壁２５ｂの背部近傍部に位置する両側縁が一対の縦壁１８ａ、１８ａに連設され、コアー板２３の直線壁２４ａ、２４ａが縦壁１８ａ、１８ａの内側に案内溝３１、３１を介して重なって位置するガイド縁壁２６を延設して成ることを特徴とする請求項２に記載の陳列棚における情報表示体。
【請求項４】
情報表示体１７を陳列棚１０の棚板部１３に載置した状態で、該情報表示体１７を陳列棚１０の背板部１４に係止する係止固定手段４５を備えた構成であり、
係止固定手段４５は、情報表示体１７の殻体１９の背部に設けた背板２９に着脱自在に取付けられるブラケット部材４６と、該ブラケット部材４６と協働して陳列棚１０の背板部１４を挟持するクランプ部材４７とから構成されて成ることを特徴とする請求項１、２又は３に記載の陳列棚における情報表示体。
【発明の詳細な説明】
【０００１】
【発明の属する技術分野】
本発明は、陳列棚の棚板部に載置せしめることにより使用される情報表示体に関する。
【０００２】
【従来の技術】
従来、例えば、レンタルビデオショップにおいて、ケース入りビデオカセットの商品を陳列棚に展示する際、陳列棚の上に商品を格納ソフトのカテゴリーないしジャンル別に分けることにより横並び列設状に載置せしめることが行われている。このような展示陳列方法は、その他、ケース入りＣＤやＤＶＤ等の商品についても同様であり、更に、書籍等の商品においても同様とされている。
【０００３】
そこで、店舗内においてジャンル別に陳列された商品を顧客が探し出す際の便宜のため、陳列棚に、商品と共に箱体を載置し、該箱体に表示された情報を顧客に知らしめるように工夫されている。
【０００４】
図１０に基づいて、従来の情報表示体を説明すると、図１０（Ａ）に示すように、箱状のベース本体１は、陳列棚に載置された状態で少なくとも正面に位置する正面壁２と左右側面に位置する左右側面壁３、３を備えた概ね直方体形状に形成されており、上述のようなジャンル情報等を目視可能に表示した情報シート４を前記正面壁２を含んで左右側面壁３、３に跨がり添設している。尚、情報シート４には、正面壁２に位置する正面表示情報５と、左右側面壁３、３に位置する側面表示情報６が施されており、ジャンル別に分けて陳列された商品Ｍの傍らにベース本体１を設置することにより、情報表示体として機能する。
【０００５】
情報シート４をベース本体１の外側面に添設するため、ベース本体１を構成する箱体には、正面壁２を含んで左右側面壁３、３に跨がる透明のカバーシート７が設けられ、カバーシート７の両側端縁を左右側面壁３、３の端縁に溶着８せしめ、ベース本体１の壁２及び３、３とカバーシート７の間に情報シート４を挿入できるように構成している。
【０００６】
ベース本体１を構成する箱体は、図１０（Ｂ）に示すように、正面壁２を挟んで左右側面壁３、３を開閉できるように構成されており、左右側面壁３、３を開くと、カバーシート７が弛むので、これにより情報シート４の挿脱を可能ならしめる。そして、情報シート４を挿入した状態で、左右側面壁３、３を閉じると、カバーシート７が緊張することにより、情報シート４を保持する。
【０００７】
【発明が解決しようとする課題】
従来技術において、カバーシート７は、左右側面壁３、３の開閉により緊張と弛みを可能にする必要があるため、ビニール系等のような柔軟な合成樹脂シートにより形成されている。このため、店舗における繰り返し使用により、カバーシート７は、容易に損傷し、特に、表面に多数の微小な傷を容易に形成されるので、曇り状となり透明度を低下する。
【０００８】
そこで、このように劣化したカバーシート７は、店舗での使用に耐え得ず、新品と交換すべき必要があるが、上述のようにカバーシート７はベース本体１に溶着８されているため、カバーシート７だけを交換することができず、ベース本体１の全体を廃棄し、交換しなければならないのが現状である。
【０００９】
ところが、合成樹脂により成形された箱体を廃棄することは、廃棄物処理に関する産業上の問題があり、また、利用者においても、箱体を全体として交換するため、コスト上の問題がある。
【００１０】
更には、従来技術の場合、情報表示体は、ベース本体１と、これに溶着されたカバーシート７と、情報シート４とから構成されているため、部品点数が多く、コスト高であるという問題がある。
【００１１】
しかも、ベース本体１は、正面壁２及び左右側面壁３、３を含む全体を完全中空の箱形とするものであるため、成形のための原材料、即ち、合成樹脂量を削減することが困難であり、原価コストを低減することができない。
【００１２】
【課題を解決するための手段】
本発明は、上記課題を解決した陳列棚における情報表示体を提供するものである。
【００１３】
そこで、本発明が手段として構成したところは、陳列棚に載置される情報表示体であり、背部を開口せしめた殻体を構成するベース本体と、目視可能な情報を表示した情報シートとから成り、前記ベース本体の殻体は、縦壁の上下端に連結された上壁と下壁を背部から前方に向けて延長せしめると共に、該上壁及び下壁の左右側縁に沿って延びる直線縁壁と、該上壁及び下壁の円弧を描く自由端縁に沿って延びる弧状縁壁とから構成された縁壁を形成し、上壁と下壁の間において相互に対向するように前記縁壁の内側に沿って延びる案内溝を形成しており、前記情報シートは、殻体の開口部から挿入されたとき、上壁と下壁の案内溝に挿入せしめられる上下縁を有するシートから構成され、該情報シートを殻体の内部に向けて案内溝に沿って挿入することにより、前記直線縁壁及び弧状縁壁に沿って変形せしめられた状態で上下縁を案内溝に保持されており、更に、情報シートの正面シート部に表示された正面表示情報を弧状縁壁に対応する殻体の正面部に向けて配置せしめられて成る点にある。
【００１４】
本発明の実施形態において、上壁２及び下壁に架設されたコアー板が設けられており、コアー板は、直線縁壁とほぼ平行な壁面を形成する直線壁と、弧状縁壁とほぼ平行な円弧状の壁面を形成する円弧壁を構成し、上壁及び下壁の縁壁とコアー板の間に案内溝を形成している。
【００１５】
また、上壁及び下壁の背部近傍部に位置する両側縁を連設せしめる一対の縦壁が設けられ、コアー板の直線壁を縦壁の内側に案内溝を介して重ならしめることによりガイド縁壁を構成している。
【００１６】
更に、情報表示体を陳列棚の棚板部に載置した状態で、該情報表示体を陳列棚の背板部に係止する係止固定手段が備えられている。係止固定手段は、情報表示体の殻体の背部に設けた背板に着脱自在に取付けられるブラケット部材と、該ブラケット部材と協働して陳列棚の背板部を挟持するクランプ部材とから構成されている。
【００１７】
【発明の実施の形態】
以下図面に基づいて本発明の実施形態を詳述する。
【００１８】
（陳列棚の構成）
図１に示すように、陳列棚１０は、左右の支柱１１、１１に棚手段１２を架設しており、該棚手段１２は、ほぼ水平な棚板部１３と、該棚板部の後縁から起立する背板部１４により構成されている。図例の場合、棚板部１３と背板部１４を一体に構成しているが、別体に形成した棚板部１３と背板部１４を連設せしめる構成としても良い。
【００１９】
図示の実施形態において、支柱１１は、正面壁に、上下に間隔をあけて列設された孔群から成る支持手段１５ａ、１５ｂを左右に平行に設けており、棚手段１２の背板部１４の両側縁に設けた耳片１４ａ、１４ｂを支柱１１の正面壁にピン１６を介して着脱自在に取付けられる。即ち、背板部１４の一方（図示左側）の耳片１４ａは、一方（図示左側）の支柱１１の支持手段１５ｂにピン１６を介して取付けられ、背板部１４の他方（図示右側）の耳片１４ｂは、他方（図示右側）の支柱１１の支持手段１５ａにピン１６を介して取付けられる。この際、背板部１４は、上縁を背面側に断面ほぼＬ形に折返された折返部１４ｃを設けており、該折返部１４ｃを一対の支柱１１、１１の間に嵌入せしめられる。
【００２０】
（情報表示体の概略的構成）
図示のように、棚板部１３には、ケース入りビデオカセット等の商品Ｍがジャンル別に整理された状態で横並び列設状に載置されると共に、当該ジャンル情報等を目視可能に表示した情報表示体１７が載置される。
【００２１】
情報表示体１７は、図２及び図３に示すような中空状の殻体１９を構成するベース本体２０と、図７に示すような目視可能な情報２１を表示した情報シート２２とから成り、図２及び図３に示すように、殻体１９の周囲を情報シート２２により被うことにより、全体として中空の箱形に形成される。
【００２２】
（ベース本体の構成）
ベース本体２０は、図５及び図６に示すように、殻体１９と蓋体２７により構成されている。殻体１９は、縦壁１８ａ、１８ａの上下端にそれぞれ上壁２５ａと下壁２５ｂを連結すると共に、上壁２５ａ及び下壁２５ｂを背部から前方に向けてほぼ平行に延長せしめている。図例の場合、左右一対となる２枚の縦壁１８ａ、１８ａを上壁２５ａ及び下壁２５ｂの背部近傍部に位置する両側縁に連設せしめることにより、殻体１９が縦壁１８ａと上壁２５ａ及び下壁２５ｂにより側面視がほぼコ字形となるような概ね箱形に形成されているが、１枚の縦壁１８ａを上壁２５ａ及び下壁２５ｂの幅方向中央部に設けることにより、断面ほぼＴ形となるように構成しても良い。
【００２３】
上壁２５ａ及び下壁２５ｂは、上下から対向する対称形に形成され、それぞれ、周縁を縁取る縁壁３０を設けている。この際、上壁２５ａ及び下壁２５ｂはそれぞれ自由端縁を円弧状に形成されており、従って、縁壁３０は、上壁２５ａ及び下壁２５ｂの左右側縁に沿って延びる直線縁壁３０ａ、３０ａと、自由端縁に沿って延びる弧状縁壁３０ｂを構成する。
【００２４】
上壁２５ａ及び下壁２５ｂのそれぞれは、左右の直線縁壁３０ａ、３０ａと自由端の弧状縁壁３０ｂの内側に沿って案内溝３１、３１を形成している。このような案内溝３１、３１は、直線縁壁３０ａ、３０ａと弧状縁壁３０ｂの内側に沿って延びるリブを上壁２５ａ及び下壁２５ｂの対向面から突設することにより形成しても良いが、図示実施形態においては、上壁２５ａ及び下壁２５ｂに架設されたコアー板２３を設け、該コアー板２３と縁壁３０の間に案内溝３１を形成している。
【００２５】
従って、コアー板２３は、直線縁壁３０ａ、３０ａとほぼ平行な壁面を形成する直線壁２４ａと、弧状縁壁３０ｂとほぼ平行な円弧状の壁面を形成する円弧壁２４ｂを構成する。この際、左右の直線壁２４ａ、２４ａは、左右一対の縦壁１８ａ、１８ａの内側に重なって位置するガイド縁壁２６を延設しており、このような重ね合わされた位置に案内溝３１、３１を延長せしめている。尚、図例の場合、殻体１９の全体を合成樹脂により一体成形する関係上、円弧壁２４ｂに窓孔２７を開設しているが、必ずしも窓孔２７を設けなくても良い。また、殻体１９は、図例のように、コアー板２３を含むものとして全体を合成樹脂により一体成形しても良いが、コアー板２３を別体のものとして成形し、上壁２５ａと下壁２５ｂの間に嵌着等により固着せしめるように構成しても良い。
【００２６】
このように構成された殻体１９は、背部が開放された開口部２８を備えており、該開口部２８を着脱自在な蓋体２７により被蓋される。蓋体２７は、合成樹脂により一体成形され、背板２９の周囲から縁取り状に突出する嵌着縁壁３２を形成し、該嵌着縁壁３２を殻体１９の開口部２８に嵌入せしめたとき、背板２９により開口部２８を閉鎖する。蓋体２７を着脱自在にするため、嵌着縁壁３２の外周面には嵌着突起３２ａが形成されており、該嵌着突起３２ａを開口部２８に臨む上壁２５ａ及び／又は下壁２５ｂの内面に嵌合係止することができる。尚、嵌着突起３２ａは、縦壁１８ａの内面に嵌合係止するように設けても良い。
【００２７】
背板２９の左右に位置する嵌着縁壁３２には、耳片３３、３４が延設されている。図例の場合、それぞれ左右一対を１組とした耳片３３、３３と耳片３４、３４の２組が上下に間隔をあけて配置されている。そこで、嵌着縁壁３２を開口部２８に嵌入せしめることにより蓋体２７を装着したとき、耳片３３、３４が殻体１０の縦壁１８ａの内側面に接支し、左右一対の縦壁１８ａ、１８ａを保形状態に支持する。
【００２８】
背板２９を上下にほぼ二分する位置には、ほぼ水平姿勢で背板２９から突出する舌片３５が設けられている。舌片３５の幅寸法は、殻体１９のコアー板２３における左右一対の直線壁２４ａ、２４ａの内法寸法に対応せしめられている。そこで、嵌着縁壁３２を開口部２８に嵌入せしめることにより蓋体２７を装着したとき、舌片３５の両側縁がガイド縁壁２６を含む直線壁２４ａ、２４ａの間に進入し、該直線壁２４ａ、２４ａの内側面に接支し、左右一対の直線壁２４ａ、２４ａを保形状態に支持する。
【００２９】
背板２９は、左右に間隔をあけて配置された一対のスリット３６、３６を上下方向に延設しており、各スリット３６の中途部（図例の場合、舌片３５の上部近部）に位置して該スリット３６の幅を拡大せしめた孔３７、３７を上下に間隔をあけて開設している。
【００３０】
（情報シートの構成）
情報シート２２は、図７に示すように、表示シート３８の表裏両面を一対の透明又は半透明の合成樹脂製のラミネートシート３９により被覆すると共にサンドイッチ状に一体化せしめることにより構成されている。
【００３１】
表示シート３８は、上下縁４１ｂ、４１ｂが殻体１９の案内溝３１、３１の全長にわたる縦幅を有し、両側縁４１ａ、４１ａがガイド縁壁２６、２６に重ねられるような横幅を有する寸法とされた矩形の紙又は合成紙から成り、その表面に対して印刷等により、ベース本体２０の正面に位置せしめられる正面表示情報２１ａと、左右側面に位置せしめられる左右側面表示情報２１ｂ、２１ｂを設けており、正面表示情報２１ａと左右側面表示情報２１ｂ、２１ｂの間を境界部４０、４０とする。
【００３２】
一対とされた二枚のラミネートシート３９は、従来のカバーシート７のような軟質の合成樹脂よりも比較的硬く可撓性を有するポリプロピレンやポリエチレン等の合成樹脂から成り、表示シート３８を挟んでサンドイッチ状に溶着一体化される。
【００３３】
そこで、情報シート２２は、図７に鎖線で示すように、ほぼＵ形状に湾曲するように折曲変形自在であり、変形されたとき、正面に位置して円弧状に湾曲する正面シート部２２ａと、左右側面に位置する左右側面シート部２２ｂ、２２ｂを形成する。
【００３４】
このように情報シート２２は、比較的硬質とされた可撓性の合成樹脂から成るラミネートシート３９を表示シート３８の表裏両面に溶着一体化することにより、全体として更に硬化せしめられた強靱な可撓性の板状シートを構成するので、情報シート２２の上下縁を、殻体１９における上壁２５ａ及び下壁２５ｂの案内溝３１、３１に挿入せしめた状態において、図２及び図３に示すように、正面シート部２２ａが弾発復元力により上壁２５ａ及び下壁２５ｂの弧状縁壁３０ｂの内側面に沿わしめられる。また、正面シート部２２ａの弾発復元力を介して押し広げられる左右側面シート部２２ｂ、２２ｂが左右の直線縁壁３０ａ、３０ａの内側面に沿わしめられる。
【００３５】
情報シート２２をベース本体２０に取付けるための方法を図８に示している。蓋体２７を取外すことにより、殻体１９は、開口部２８を開放している。そこで、開口部２８を介して、情報シート２２の一方の側縁４１ａを縦壁２４ａとコアー板２３のガイド縁壁２６との間の隙間に挿入する。これにより、情報シート２２の上下縁４１ｂ、４１ｂがそれぞれ上壁２５ａ及び下壁２５ｂの案内溝３１、３１に進入する。従って、その状態から図示矢印で示すように情報シート２２を押し込むと、情報シート２２は、案内溝３１を構成する直線縁壁３０ａに沿って進入する。進入する情報シート２２は、弧状縁壁３０ｂを通過する際、図示のように円弧状に湾曲せしめられる。そして、情報シート２２の両側縁４１ａ、４１ａがそれぞれ左右一対のガイド縁壁２６、２６に重なる位置に達すると、情報シート２２の取付けが終了する。
【００３６】
情報シート２２は、取付状態において、上下縁４１ｂ、４１ｂを上壁２５ａ及び下壁２５ｂの案内溝３１にそれぞれ嵌入しているので、上下縁４１ｂ、４１ｂが外部から視認されることはなく、外観美を保持する。しかも、情報シート２２は、内側面の全体がコアー板２３に沿って重なり合い保持されている。従って、情報表示体１７を持ち運ぶために、上壁２５ａと下壁２５ｂの間に位置する情報シート２２を直接に手で握持するような場合でも、情報シート２２が変形するようなことはない。
【００３７】
このようにして情報シート２２を取付けた後、殻体１９の開口部２８を閉鎖するように蓋体２７が取付けられ、これにより情報表示体１７が完成する。
【００３８】
従って、情報表示体１７は、図１０に基づき説明した従来技術のようなカバーシート７を有していない。そして、情報シート２２は、表示シート３８の表裏両面を比較的硬質の樹脂から成るラミネートシート３９により被覆しており、しかも、サンドイッチ状に溶着一体化することにより更に硬化された可撓性の板状シートを構成しているので、従来の柔軟なカバーシート７のように容易に傷つくことにより曇り状となることはなく、永年使用によっても透明度と美麗な外観を維持できる。
【００３９】
（情報シートの構造及び製造方法の実施形態）
図９は、上述した本発明に係る情報シート２２の構造及び製造方法に関する実施形態を示している。図９（Ａ）に示すように、表示シート３８は、上述した殻体１９の案内溝３１の全長にわたる長さ寸法とされた横幅Ｗ１と、殻体１９の上下の案内溝３１に跨がる長さ寸法とされた縦幅Ｈ１を有する矩形（長方形）のシート状であり、一側縁を基準位置ｓとして所定の距離ｄ１及びｄ２（但しｄ１＜ｄ２であり、ｄ２−ｄ１がベース本体２０の弧状縁壁３０ｂの周長寸法と一致する）だけ離間した個所に正面表示情報２１ａと左右側面表示情報２１ｂ、２１ｂの境界部４０、４０を位置せしめている。
【００４０】
一対のラミネートシート３９ａ、３９ｂは、それぞれ横幅Ｗ２及び縦幅Ｈ２の寸法を有する矩形（好ましくは長方形）の樹脂シートであり、表示シート３８を挟んで内包せしめる大きさ、即ち、図示のようにＷ２＞Ｗ１、Ｈ２＞Ｈ１とされる大きさに形成されており、両シート３９ａ、３９ｂの相対向する内側面に溶融樹脂層４２を積層したシート体を構成している。そして、両シート３９ａ、３９ｂの一側縁を相互に予め溶着することにより溶着線４３を備えている。
【００４１】
そこで、位置決め工程を実施する。即ち、一対のラミネートシート３９ａ、３９ｂの間に表示シート３８を内包されるように挿入すると共に、表示シート３８の一側縁（基準位置ｓ）を両シート３９ａ、３９ｂの溶着線４３（基準位置Ｓ）に当接せしめる。
【００４２】
このような位置決め工程の後、ラミネート実施工程が実施される。即ち、表示シート３８を内包した一対のラミネートシート３９ａ、３９ｂを前記溶着線４３を進行方向の前向きとして一対の溶着ロール間に通過せしめることにより、表示シート３８を挟んで一対のラミネートシート３９ａ、３９ｂをサンドイッチ状に溶着一体化せしめる。表示シート３８を挟んだラミネートシート３９ａ、３９ｂは、溶着ロールに進入するや否や溶融樹脂層４２を溶融せしめると共に表示シート３８に含浸せしめ、サンドイッチ状の溶着一体化を開始し、その後、溶着ロール間における進行に伴い、内部のエアーを進行方向の後向きに排出せしめながら全面にわたる溶着一体化を実行する。この際、溶着ロール間の通過と同時又は通過の後、表示シート３８の周縁の外側においてラミネートシート３９ａ、３９ｂの周縁３９ｘが分断され廃棄される。
【００４３】
以上の工程を経ることにより、図９（Ｂ）（Ｃ）に示すように、表示シート３８の表裏面の全面に対して樹脂接着剤層２２を溶融含浸せしめることによりラミネートシート３９、３９をサンドイッチ状に溶着一体化した情報シート２２が得られる。
【００４４】
（係止固定手段の構成）
上記の構成とした情報表示体１７は、図１に示すように、陳列棚１０の棚板部１３に載置した状態で、係止固定手段４５により背板部１４の折返部１４ｃに係止せしめられる。
【００４５】
図２ないし図４に示すように、係止固定手段４５は、ベース本体２０を構成する蓋体２７の背板２９に着脱自在に取付けられるブラケット部材４６と、該ブラケット部材４６と協働して陳列棚１０における背板部１４の折返部１４ｃを着脱自在に挟持するクランプ部材４７とから構成されている。
【００４６】
ブラケット部材４６は、図４（Ａ）（Ｂ）に示すように、蓋体２７の背板２９に沿わしめられる基部４６ａと、該基部４６ａからほぼ水平方向に延びるアーム部４６ｂとを備えている。基部４６ａは、背板２９のスリット３６に挿脱自在に挿通される案内リブ４８を突設すると共に、該案内リブ４８の突出端に孔３７、３７に挿脱自在に挿入される抜止部４９、４９を設けている。従って、案内リブ４８及び抜止部４９、４９を、背板２９のスリット３６及び孔３７、３７に挿入した状態で、案内リブ４８をスリット３６に沿って上方に摺動せしめると、ブラケット部材４７の基部４６ａが背板２９に抜止状に取付けられる。
【００４７】
クランプ部材４７は、アーム部４６ｂに摺動自在なガイド孔５０を備えた摺動体５１を構成しており、アーム部４６ｂの長手方向に摺動せしめた任意の位置において、摺動体５１をアーム部４６ｂに固定するセットボルト等の固定手段５２を設けている。
【００４８】
そこで、ベース本体２０を構成する蓋体２７の背板２９にブラケット部材４６の基部４６ａを取付けた状態で、アーム部４６ｂを陳列棚１０における背板部１４の折返部１４ｃに交差せしめると共に、情報表示体１７を棚板部１３に載置し、背板部１４の背後からクランプ部材４７をアーム部４６ｂに対して摺動することにより背板部１４を挟持せしめ、固定手段５２を固定すると、情報表示体１７は、所定位置に固定される。即ち、情報表示体１７は、上述のように中空の殻体１９に情報シート２２を添設した軽量のものであるため、側方から商品Ｍをもたれ掛けると、棚板部１３の上で容易に遊動してしまうが、このような係止固定手段４５を設けることにより情報表示体１７の遊動を防止できる。
【００４９】
ところで、図示実施形態の場合、陳列棚１０は、図１に示すように、棚板部１３の端部１３ａと共に背板部１４の耳片１４ａ、１４ｂを支柱１１、１１の正面壁に配置した構成であるため、情報表示体１７を棚板部１３の端部１３ａ（支柱１１の正面）に位置せしめると、係止固定手段４５のアーム部４６ｂが支柱１１に干渉する虞れがある。この点に関して、上述のように、ベース本体２０の蓋体２７は、孔３７、３７を備えた一対のスリット３６、３６を背板２９の左右に振り分け状に設けているので、左右のスリット３６、３６から選択した一方のスリット３６に係止固定手段４５を取付けることにより、情報表示体１７を棚板部１３の端部１３ａに載置せしめた状態で、係止固定手段４５を背板部１４に固定することができるという利点がある。
【００５０】
（付加的構成）
情報表示体１７は、上述のように、ベース本体２０により構成される殻体１９のコアー板２３に情報シート２２を添設した中空箱形の構成であるため、内部に電球や蛍光灯や発光ダイオード等の光源を挿入することにより、中空内部から情報シート２２に対して光を照射するように構成することができる。この目的のためには、蓋体２７の背板２９に光源挿入用の窓孔を開設しておけば良く、また、コアー板２３に多数の透光孔を設けておけば良い。
【００５１】
【発明の効果】
本発明によれば、情報表示体１７は、背部を開口２８せしめた殻体１９を構成するベース本体２０と、目視可能な情報２１を表示した情報シート２２とから成り、殻体１９を構成するように背部から前方に向けて延長せしめられた上壁２５ａと下壁２５ｂに架設されるように情報シート２２を取付けることにより、全体として中空の箱形に形成されるので、安価に製造することができると共に、軽量であり、取り扱いが容易である。
【００５２】
しかも、殻体１９は、上壁２５ａ及び下壁２５ｂの縁壁３０に沿って案内溝３１を形成し、該案内溝３１、３１に情報シート２２の上下縁４１ｂ、４１ｂを挿入保持せしめる構成であるから、ベース本体２０に対して情報シート２２を取り替えることにより、長期間にわたる使用が可能である。
【００５３】
この点に関して、縁壁３０は、上壁２５ａ及び下壁２５ｂの左右側縁に沿って延びる直線縁壁３０ａ、３０ａと、該上壁２５ａ及び下壁２５ｂの円弧を描く自由端縁に沿って延びる弧状縁壁３０ｂとから構成され、該縁壁３０に沿って案内溝３１を形成し、該案内溝３１の両端を殻体１９の背部の開口部２８に指向せしめているので、情報シート２２の取り替えに際し、殻体１９の開口部２８から情報シート２２を容易に引き抜くことができると共に、新たに装着すべき情報シート２２は、開口部２８から殻体１９に挿入した後、情報シート２２の上下縁４１ｂ、４１ｂを上下の案内溝３１、３１に沿わしめた状態で押し込むだけで、情報シート２２が縁壁３０の直線縁壁３０ａ、３０ａと弧状縁壁３０ｂに沿って湾曲しつつ好適に取付けられ、取り替え作業が容易である。
【００５４】
そして、上壁２５ａと下壁２５ｂの間に架設されたコアー板２３の直線壁２４ａ、２４ａ及び円弧壁２４ｂにより、情報シート２２の左右側面シート部２２ｂ、２２ｂ及び正面シート部２２ａを保持せしめるように構成しておけば、例えば情報表示体１７を持ち運ぶために、上壁２５ａと下壁２５ｂの間に位置する情報シート２２を直接に手で握持するような場合でも、情報シート２２が変形することにより案内溝３１、３１から脱落したり損傷するようなことがない。
【００５５】
更に、コアー板２３を利用することにより、該コアー板２３の直線壁２４ａ、２４ａを介して縦壁１８ａ、１８ａの内側に案内溝３１、３１を介して重なり合うガイド縁壁２６を延設しておけば、情報シート２２をベース本体２０に取付けるに際して、殻体１９の開口部２８から縦壁１８ａとガイド縁壁２６の間に情報シート２２の一側縁４１ａを挿入したとき、情報シート２２がガイド縁壁２６に案内されつつ上下縁４１ｂ、４１ｂを案内溝３１、３１に導かれるので、取付作業が一層容易となる。
【００５６】
上記に加えて、情報表示体１７を陳列棚１０の棚板部１３に載置した状態で、該情報表示体１７を陳列棚１０の背板部１４に係止する係止固定手段４５を設けておけば、軽量な中空状の情報表示体１７を側方から商品Ｍをもたれ掛けた際に遊動しないように棚板部１３の所定位置に設置できるという利点があり、しかも、背板部１４をクランプ形式で挟持せしめる構成であるから、異なる厚さの背板部１４に対しても自在にアジャストできるという効果がある。
【図面の簡単な説明】
【図１】本発明の１実施形態に係る情報表示体の使用状態を示す斜視図である。
【図２】本発明の１実施形態に係る情報表示体を正面側から示す斜視図である。
【図３】本発明の１実施形態に係る情報表示体を背面側から示す斜視図である。
【図４】情報表示体を陳列棚の棚板部に載置した状態で陳列棚の背板部に係止するための係止固定手段を分解状態で示し、（Ａ）は背面側から示す斜視図、（Ｂ）は正面側から示す斜視図である。
【図５】情報表示体のベース本体を構成する殻体と蓋体を分解状態にて正面側から示す斜視図である。
【図６】情報表示体のベース本体を構成する殻体と蓋体を分解状態にて背面側から示す斜視図である。
【図７】情報シートの１例を折曲状態にて示す斜視図である。
【図８】ベース本体を構成する殻体に対して情報シートを取付ける際の作用を一部切欠断面にて示す斜視図である。
【図９】情報シートの製造方法の１実施形態を示しており、（Ａ）は表示シートとラミネートシートの関係を示す斜視図、（Ｂ）は溶着一体化された情報シートを示す斜視図、（Ｃ）は情報シートの折曲部分を拡大して示す断面図である。
【図１０】従来の情報表示体を示しており、（Ａ）は情報表示体の斜視図、（Ｂ）はカバーシートを備えた箱体と表示シートの関係を示す斜視図である。
【符号の説明】
１０    陳列棚
１１    支柱
１２    棚手段
１３    棚板部
１４    背板部
１７    情報表示体
１８ａ  縦壁
１９    殻体
２０    ベース本体
２１ａ  正面表示情報
２１ｂ  左右側面表示情報
２２    情報シート
２３    コアー板
２４ａ  直線壁
２４ｂ  円弧壁
２５ａ  上壁
２５ｂ  下壁
２６    ガイド縁壁
２８    開口部
２９    背板
３０    縁壁
３０ａ  直線縁壁
３０ｂ  弧状縁壁
３１    案内溝
３６    スリット
３７    孔
３８    表示シート
３９    ラミネートシート
４１ａ  側縁
４１ｂ  上下縁
４５    係止固定手段
４６    ブラケット部材
４７    クランプ部材
【図１】
2004215869.tif 000003
【図２】
2004215869.tif 000004
【図３】
2004215869.tif 000005
【図４】
2004215869.tif 000006
【図５】
2004215869.tif 000007
【図６】
2004215869.tif 000008
【図７】
2004215869.tif 000009
【図８】
2004215869.tif 000010
【図９】
2004215869.tif 000011
【図１０】
2004215869.tif 000012